(57)【要約】【課題】異なる機構の遊技機を構成する場合にも、設計変更をほとんど行うことなく対応することができる球払出ユニットを提供すること。【解決手段】球払出ユニット１は、ケース２、払出機構３、通路切替部材４及びストッパー部材５を有している。ケース２は、遊技球８を球皿６３へと導くための払出通路２１と、遊技球８をパチンコ遊技機６の外部へと導くための球抜き通路２２とを形成してなる。通路切替部材４は、払出通路２１の一部を形成する払出位置４０１と球抜き通路２２の一部を形成する球抜き位置４０２との間で回動可能である。ストッパー部材５は、通路切替部材４の回動を阻止する回動阻止位置５０１と通路切替部材４の回動を可能にする回動許可位置５０２との間でスライド可能である。払出機構３、通路切替部材４及びストッパー部材５は、ケース２に一体的に配設されている。【選択図】図１
2005253784.tif 000002
【特許請求の範囲】
【請求項１】
遊技機における球払出ユニットであって、
該球払出ユニットは、遊技球を上記遊技機における球皿へと導くための払出通路と、遊技球を上記遊技機の外部へと導くための球抜き通路とを形成してなるケースと、
遊技球を所定個数ずつ流下させるための払出機構と、
上記払出通路の一部を形成する払出位置と、上記球抜き通路の一部を形成する球抜き位置との間で回動可能である通路切替部材と、
該通路切替部材の回動を阻止する回動阻止位置と、該通路切替部材の回動を可能にする回動許可位置との間でスライド可能であるストッパー部材とを有しており、
上記払出機構、上記通路切替部材及び上記ストッパー部材を、上記ケースに一体的に配設してなることを特徴とする球払出ユニット。
【請求項２】
請求項１において、上記ストッパー部材は、上記ケースに対して摺動する摺動本体部と、上記ケースに形成された掛止部に掛止され、当該ストッパー部材が上記ケースから外れることを防止する外れ防止部と、上記通路切替部材に形成された切替係合部と係合するストッパー係合部と、該ストッパー係合部と上記切替係合部との係合状態を付勢する付勢手段と、外部からの力を受ける受圧部とを、一体的に樹脂成形してなることを特徴とする球払出ユニット。
【請求項３】
請求項１又は２において、上記ストッパー部材の上記外れ防止部と、上記ケースの上記掛止部とは、一方が弾性変形可能な掛止爪であると共に、他方が該掛止爪を掛止する掛止凹部であることを特徴とする球払出ユニット。
【請求項４】
請求項１〜３のいずれか一項において、上記通路切替部材は、遊技球の流下を案内する流下案内部と、上記回動の支点となる回動支点部と、上記切替係合部とを有しており、また、上記払出通路は、上記球抜き通路との分岐部に、曲線状に折れ曲った折曲通路部を有しており、
上記通路切替部材が上記払出位置にあるときには、上記流下案内部は、上記折曲通路部の折曲外周方向に位置する外側壁部を形成していると共に、上記流下案内部及び上記切替係合部は、上記回動支点部の斜め下方に位置し、かつ、上記切替係合部と上記回動支点部とを結ぶ仮想線は、該回動支点部から水平に引かれる仮想水平線に対して、２０〜４５°の角度を有していることを特徴とする球払出ユニット。
【請求項５】
請求項１〜４のいずれか一項において、上記ケースには、上記ストッパー部材の上記摺動本体部を挿入配置するための挿入配置部が、上記ストッパー部材のスライド方向における一端面から他端面に向けて貫通形成されており、
上記ストッパー部材の上記摺動本体部を、上記ケースにおけるいずれの端面から上記挿入配置部へ挿入配置したときでも、上記ケースの上記掛止部は、上記ストッパー部材の上記外れ防止部を掛止し、かつ上記通路切替部材の上記切替係合部は、上記ストッパー部材の上記ストッパー係合部と係合するよう構成されていることを特徴とする球払出ユニット。
【請求項６】
請求項５において、上記通路切替部材の上記切替係合部は、上記ストッパー部材のスライド方向における両方向に向けて、上記ストッパー係合部と当接することができる係合突起をそれぞれ突出形成してなることを特徴とする球払出ユニット。
【請求項７】
請求項１〜６のいずれか一項において、上記ストッパー部材は、上記遊技機における盤面の面方向に沿って略水平方向にスライドするよう構成されており、上記通路切替部材は、上記ストッパー部材のスライド方向に対して直交する方向における上下に向けて回動するよう構成されていることを特徴とする球払出ユニット。
【発明の詳細な説明】
【技術分野】
【０００１】
本発明は、パチンコ遊技機、アレンジボール遊技機、遊技球を遊技媒体として使用するスロットマシーン等の遊技機に関し、所定個数の遊技球を遊技機における球皿に払い出すことができる球払出ユニットに関する。
【背景技術】
【０００２】
例えば、パチンコ遊技機においては、外枠の前面側に、遊技領域を形成する遊技盤を備えた前枠を開閉可能に配設して構成されており、前枠の裏面側には、各種制御部品等を備えた機構板を配設している。上記機構板には、遊技球を収容する球タンクが配設されており、この球タンクの下方には、賞球又は貸球を行う際に所定数の遊技球を球皿ユニットに払い出すための球払出通路と、メンテナンスのときなどに球タンク内の遊技球をパチンコ遊技機の外部に抜き出すための球抜き通路とが形成されている。
【０００３】
また、球払出通路には、遊技球を１球ずつ払い出す払出機構が配設されており、球払出通路と球抜き通路との分岐部分には、上記球タンクから流下する遊技球を球払出通路へと流下させるための球払出位置と、球タンクから流下する遊技球を球抜き通路へと流下させるための球抜き位置との間で移動可能な通路切替部材が配設されている。
そして、通路切替部材は、パチンコ遊技を行う際には、上記球払出位置にあり、上記機構板に設けたレバー部材を押したときだけ上記球抜き位置に移動するよう構成されている。このような遊技球の払出及び抜出を行う機構としては、特許文献１、２に示すものがある。
【０００４】
しかしながら、遊技機を構成する際の制約は多く、遊技機においては、限られたスペースにおいて動作する各構成部品の動作形態が重要になる。すなわち、多種多様な機構で構成される遊技機の裏機構において、上記遊技球の払出及び抜出を行う機構の配設位置等の設計変更が柔軟に対応できることが望まれていた。特許文献１、２においては、上記レバー部材を回動させて用いており、遊技機に対する上記払出及び抜出を行う機構の配設位置等の変更があったときには、レバー部材の回動する向きが異なったりすることがあり、設計変更が必要とされていた。
【０００５】
【特許文献１】特開平１０−１５５９９９号公報
【特許文献２】特開２００１−２３９０３６号公報
【発明の開示】
【発明が解決しようとする課題】
【０００６】
本発明は、かかる従来の問題点に鑑みてなされたもので、異なる機構の遊技機を構成する場合にも、設計変更をほとんど行うことなく対応することができる球払出ユニットを提供しようとするものである。
【課題を解決するための手段】
【０００７】
本発明は、遊技機における球払出ユニットであって、
該球払出ユニットは、遊技球を上記遊技機における球皿へと導くための払出通路と、遊技球を上記遊技機の外部へと導くための球抜き通路とを形成してなるケースと、
遊技球を所定個数ずつ流下させるための払出機構と、
上記払出通路の一部を形成する払出位置と、上記球抜き通路の一部を形成する球抜き位置との間で回動可能である通路切替部材と、
該通路切替部材の回動を阻止する回動阻止位置と、該通路切替部材の回動を可能にする回動許可位置との間でスライド可能であるストッパー部材とを有しており、
上記払出機構、上記通路切替部材及び上記ストッパー部材を、上記ケースに一体的に配設してなることを特徴とする球払出ユニットにある（請求項１）。
【０００８】
本発明の球払出ユニットは、上記払出通路と球抜き通路とをケースに形成してなるものであり、このケースに上記払出機構、通路切替部材及びストッパー部材を一体的に配設して、遊技球の払出及び抜出を行う機構を構成するものである。
そのため、遊技機に対する払出及び抜出を行う機構の配設位置等に変更が生じたときでも、球払出ユニットの配設位置等を変更するだけでよく、球払出ユニットの構成をほとんど変えることなく対応することができる。
【０００９】
また、上記ストッパー部材は、スライドすることによって上記回動阻止位置と上記回動許可位置とに移動することができる。そのため、ストッパー部材は直線的に移動することになり、ストッパー部材及びこれを配設するケースの動作形態の設計が容易である。
それ故、異なる機構の遊技機を構成する場合、例えば、ケースに対するストッパー部材の配設方向等を変更する場合でも、球払出ユニットは、設計変更をほとんど行うことなく対応することができる。
【００１０】
また、上記球払出ユニットは、遊技機に取り付けた状態で以下のように動作することができる。
すなわち、遊技者が遊技を行う際には、上記通路切替部材は上記払出位置に回動させておき、上記ストッパー部材は上記回動阻止位置にスライドさせておく。そして、通路切替部材は、ストッパー部材によって上記球抜き位置に回動してしまうことが阻止されており、上記払出通路の一部を形成している。
【００１１】
また、遊技者が遊技を行う際には、払出通路の上流側に接続された球供給通路内及び球タンク内等には遊技球が充填されており、上記払出機構が作動すると、この払出機構は、払出通路を介して上記遊技機における球皿へと１球ずつ遊技球を払い出す。こうして、払出機構は、賞球又は貸球として球皿へ払出数をカウントしながら遊技球を払い出すことができる。
【００１２】
そして、例えば、メンテナンスを行うときなどに、球供給通路内及び球タンク内等の遊技球を遊技機の外部に抜き出す必要が生じたときには、ストッパー部材を回動阻止位置から回動許可位置にスライドさせる。このとき、通路切替部材は、球供給通路内における遊技球からの球圧を受けて、払出位置から球抜き位置へと回動する。そして、ストッパー部材を回動許可位置から回動阻止位置に復帰させることで、ストッパー部材と通路切替部材とが係合し、通路切替部材は、払出位置に回動してしまうことを阻止され、上記球抜き通路の一部を形成する。こうして、球供給通路内及び球タンク内の遊技球を、球抜き通路から遊技機の外部へと抜き出すことができる。
【００１３】
なお、賞球とは、入賞価値に応じて遊技球を払い出すことをいい、貸球とは、支払代価に応じて遊技球を払い出すことをいう。
また、上記球供給通路とは、球払出ユニット内における払出通路よりも上流側の通路や、球タンク内の遊技球を球払出ユニットまで供給するための通路等のことをいう。
【発明を実施するための最良の形態】
【００１４】
上述した本発明における好ましい実施の形態につき説明する。
本発明において、上記球払出ユニットは、島設備からの球供給ノズルに直接接続することができ、また、この球供給ノズルから供給された遊技球を貯留する球タンクの球流下口に接続することもできる。また、球払出ユニットは、球タンクの球流下口から流下する遊技球を整流するタンクレールの下方に接続することもできる。
【００１５】
また、上記通路切替部材は、上記ストッパー部材を上記回動阻止位置から上記回動許可位置にスライドさせたときには、上記払出通路の上流側に接続された球供給通路における遊技球の球圧を受けて、上記払出位置から上記球抜き位置へと回動し、上記球供給通路内に遊技球がなくなった状態で、当該通路切替部材の自重により上記球抜き位置から上記払出位置へと回動するよう構成することが好ましい。
この場合には、通路切替部材は、何らのアクチュエータを用いることなく容易に回動させることができる。そのため、球払出ユニットの構造を簡単にすることができる。
【００１６】
また、上記球払出ユニットは、パチンコ遊技を行う遊技領域を形成する遊技盤を配設する本体枠（前枠）の裏面側から遊技機に取り付けることができる。そして、上記本体枠には、その前面からストッパー部材の摺動本体部の一部に向けて操作孔を形成することができる。この場合には、操作孔に差し込んだ操作棒によってストッパー部材の一部を押圧することにより、ストッパー部材を回動阻止位置と回動許可位置とにスライドさせることができる。
また、ストッパー部材は、本体枠の裏面側からその一部を押圧することによっても、回動阻止位置と回動許可位置とにスライドさせることができる。
【００１７】
また、上記払出機構は、通路切替部材の配設位置よりも下流側の位置に配設することができる。そして、払出機構は、球タンク内等の遊技球を払出通路から上記球皿へ払い出すときに動作させることができる。一方、球タンク内の遊技球を球抜き通路から遊技機の外部へ払い出すときには、払出機構は介さずに、直接遊技球を流下させることができる。
【００１８】
また、上記払出機構は、通路切替部材の配設位置よりも上流側の位置に配設することもできる。この場合には、球タンク内等の遊技球を払出通路から上記球皿へ払い出すとき、球タンク内等の遊技球を球抜き通路から遊技機の外部へ払い出すときのいずれにおいても、払出機構を動作させて遊技球を流下させることができる。また、この場合には、球払出ユニット内に遊技球を１球も残すことなく球抜きを行うことが可能になる。
【００１９】
また、上記ストッパー部材は、上記ケースに対して摺動する摺動本体部と、上記ケースに形成された掛止部に掛止され、当該ストッパー部材が上記ケースから外れることを防止する外れ防止部と、上記通路切替部材に形成された切替係合部と係合するストッパー係合部と、該ストッパー係合部と上記切替係合部との係合状態を付勢する付勢手段と、外部からの力を受ける受圧部とを、一体的に樹脂成形してなることが好ましい（請求項２）。
【００２０】
この場合には、通路切替部材が払出位置にある状態において、付勢手段により、ストッパー部材が回動阻止位置に維持されるように、ストッパー係合部と切替係合部との係合状態を付勢することができる。
そして、ストッパー部材を付勢手段の付勢力に抗して、回動阻止位置から回動許可位置にスライドさせ、通路切替部材が球抜き位置に回動した後には、ストッパー部材は、付勢手段の付勢力によって再び回動阻止位置に戻り、通路切替部材が払出位置に回動することを阻止することができる。
また、ストッパー部材を、１つの部材により一体的に樹脂成形することにより、このストッパー部材の製造及びケースへの組付が容易になる。
【００２１】
また、上記ストッパー部材の上記外れ防止部と、上記ケースの上記掛止部とは、一方が弾性変形可能な掛止爪であると共に、他方が該掛止爪を掛止する掛止凹部であることが好ましい（請求項３）。
この場合には、外れ防止部又は掛止部として形成した掛止爪を弾性変形させることによって、容易にストッパー部材をケースに容易に取り付けることができる。また、掛止爪を弾性変形させることによって、ストッパー部材をケースから容易に取り外すこともできる。
【００２２】
また、上記通路切替部材は、遊技球の流下を案内する流下案内部と、上記回動の支点となる回動支点部と、上記切替係合部とを有しており、また、上記払出通路は、上記球抜き通路との分岐部に、曲線状に折れ曲った折曲通路部を有しており、上記通路切替部材が上記払出位置にあるときには、上記流下案内部は、上記折曲通路部の折曲外周方向に位置する外側壁部を形成していると共に、上記流下案内部及び上記切替係合部は、上記回動支点部の斜め下方に位置し、かつ、上記切替係合部と上記回動支点部とを結ぶ仮想線は、該回動支点部から水平に引かれる仮想水平線に対して、２０〜４５°の角度を有していることが好ましい（請求項４）。
【００２３】
この場合には、通路切替部材は、上記球タンク又は球供給通路にある遊技球からの球圧を受けて、上方向、すなわち上記仮想水平線に対する仮想線の角度が小さくなる方向に回動して、払出位置から球抜き位置へ容易に回動することができ、また、その自重によって球抜き位置から払出位置へと容易に回動することもできる。
【００２４】
また、上記仮想水平線に対する仮想線の角度を２０〜４５°とすることにより、通路切替部材が回動支点部を中心に回動する際に、切替係合部が水平方向に移動する距離と、上下方向に移動する距離とのバランスをよくすることができる。そのため、通路切替部材及びストッパー部材をコンパクトに形成することができる。
なお、上記仮想水平線に対する仮想線の角度は、３０〜４０°とすることがさらに好ましい。
【００２５】
また、上記ケースには、上記ストッパー部材の上記摺動本体部を挿入配置するための挿入配置部が、上記ストッパー部材のスライド方向における一端面から他端面に向けて貫通形成されており、上記ストッパー部材の上記摺動本体部を、上記ケースにおけるいずれの端面から上記挿入配置部へ挿入配置したときでも、上記ケースの上記掛止部は、上記ストッパー部材の上記外れ防止部を掛止し、かつ上記通路切替部材の上記切替係合部は、上記ストッパー部材の上記ストッパー係合部と係合するよう構成することが好ましい（請求項５）。
【００２６】
この場合には、ケースに対する払出機構及び通路切替部材の組付状態は変更することなく、ケースに対するストッパー部材の組付方向を変更することができる。そのため、例えば、球流下通路を遊技機の正面から見て右側に形成した場合には、ストッパー部材は、ケースの一端面から組み付けて使用し、球流下通路を遊技機の正面から見て左側に形成した場合には、ストッパー部材は、ケースの他端面から組み付けて使用することができる。
これにより、上記球払出ユニットは、左右いずれの側に球流下通路を形成した遊技機に対しても、ストッパー部材の組付方向を変更するだけで容易に対応することができる。
【００２７】
また、上記通路切替部材の上記切替係合部は、上記ストッパー部材のスライド方向における両方向に向けて、上記ストッパー係合部と当接することができる係合突起をそれぞれ突出形成してなることが好ましい（請求項６）。
この場合には、上記ストッパー部材をケースにおけるいずれの端面から組み付けたときでも、このストッパー部材のストッパー係合部と、通路切替部材の切替係合部におけるいずれかの係合突起とを容易に係合させることができ、ストッパー部材及び通路切替部材の構造を簡単にすることができる。
【００２８】
また、上記ストッパー部材の上記ストッパー係合部は、上記摺動本体部に対して突出形成されていると共に、その係合先端部が屈曲形状を有しており、該係合先端部が、上記払出位置にある上記通路切替部材の上記切替係合部に当接することによって、通路切替部材が上記球抜き位置に回動しないように阻止し、上記摺動本体部とストッパー係合部との間に形成された係合凹部内に、切替係合部を配置させることによって、通路切替部材が上記払出位置に回動しないように阻止するよう構成することが好ましい。
この場合には、ストッパー部材の構造を簡単にすることができる。
【００２９】
また、上記ストッパー部材は、上記遊技機における盤面の面方向に沿って略水平方向にスライドするよう構成されており、上記通路切替部材は、上記ストッパー部材のスライド方向に対して直交する方向における上下に向けて回動するよう構成することが好ましい（請求項７）。
【００３０】
この場合には、上記ストッパー部材を盤面の面方向に沿って略水平方向にスライドするよう構成したことにより、ストッパー部材を遊技機の裏面側と前面側とのいずれからも操作することが容易になる。
また、この場合には、ストッパー部材のスライド方向と、通路切替部材の回動方向とが直交していることにより、通路切替部材に作用する遊技球の球圧がストッパー部材をスライドさせる方向に直接働くことがなく、ストッパー部材を、安定して回動阻止位置と回動許可位置とに維持することができる。
【実施例】
【００３１】
以下に、本発明の球払出ユニットにかかる実施例につき、図面と共に説明する。
（実施例１）
本例の球払出ユニット１は、図１、図８に示すごとく、パチンコ遊技機６に用いるものであって、球タンク７１に貯留した遊技球８を流下させるためのタンクレール７２の球出口部７２１の下流側に接続して使用するものである。
すなわち、球払出ユニット１は、タンクレール７２内を流下する遊技球８をパチンコ遊技機６における球皿６３へと導くための払出通路２１と、タンクレール７２内を流下する遊技球８をパチンコ遊技機６の外部へと導くための球抜き通路２２とを形成してなるケース２を有している。
【００３２】
また、球払出ユニット１は、図１、図４、図６に示すごとく、上記球供給通路２０内における遊技球８を所定個数ずつ流下させるための払出機構３と、上記払出通路２１の一部を形成する払出位置４０１と上記球抜き通路２２の一部を形成する球抜き位置４０２との間で回動可能である通路切替部材４を有している。また、球払出ユニット１は、通路切替部材４の回動を阻止する回動阻止位置５０１と通路切替部材４の回動を可能にする回動許可位置５０２との間でスライド可能であるストッパー部材５を有している。そして、上記払出機構３、通路切替部材４及びストッパー部材５は、上記ケース２に一体的に配設されている。
以下に、これを詳説する。
【００３３】
図１、図４に示すごとく、本例の通路切替部材４は、アクチュエータ等の動力源を用いることなく回動させて使用する。すなわち、通路切替部材４は、ストッパー部材５を回動阻止位置５０１から回動許可位置５０２にスライドさせたときに、払出通路２１内における遊技球８の球圧を受けて、払出位置４０１から球抜き位置４０２へと回動するよう構成されている（図１参照）。また、通路切替部材４は、これに衝突して流下する遊技球８がなくなった状態で、当該通路切替部材４の自重により球抜き位置４０２から払出位置４０１へと回動復帰できるよう構成されている（図４参照）。
【００３４】
また、図１に示すごとく、通路切替部材４は、遊技球８の流下を案内する流下案内部４１と、回動の支点となる回動支点部４２と、ストッパー部材５の後述するストッパー係合部５３と係合する切替係合部４３とを有している。また、払出通路２１は、球抜き通路２２との分岐部に、曲線状に折れ曲った形状を有する折曲通路部２１１を有している。
【００３５】
そして、通路切替部材４が払出位置４０１にあるときには、流下案内部４１は、折曲通路部２１１の折曲外周方向に位置する外側壁部を形成していると共に、流下案内部４１及び切替係合部４３は、回動支点部４２の斜め下方に位置している。さらに、通路切替部材４が払出位置４０１にあるときには、切替係合部４３の後述する係合突起４３１の中心と回動支点部４２の中心とを結ぶ仮想線Ｌ１は、回動支点部４２から水平に引かれる仮想水平線Ｌ０に対して、３０〜４０°の角度θを有している。
【００３６】
また、図１に示すごとく、ケース２には、タンクレール７２の球出口部７２１に接続される球供給通路２０が形成されており、払出通路２１は、球供給通路２０から折曲通路部２１１を介して連続形成されている。また、球抜き通路２２は、払出通路２１の折曲通路部２１１から分岐して形成されており、通路切替部材４の流下案内部４１は、球抜き通路２２が払出通路２１に開口する球抜き開口部２２１に回動可能に配設されている。また、本例の払出機構３は、払出通路２１において通路切替部材４の配設位置よりも下流側の位置に配設されている。
【００３７】
図２に示すごとく、ストッパー部材５は、ケース２に形成された挿入配置部２３に挿入配置して摺動する摺動本体部５１と、ケース２に形成された掛止部２４に掛止され、当該ストッパー部材５がケース２から外れることを防止する外れ防止部５２とを有している。この外れ防止部５２は、摺動本体部５１に略Ｕ字状のスリット穴５２１を介して形成された弾性変形可能な掛止爪５２である。
また、ケース２における掛止部２４は、挿入配置部２３の一壁面（本例では上壁面）に形成された掛止凹部としての掛止穴２４である。そして、ストッパー部材５は、掛止爪５２を弾性変形させることにより、ケース２に対する取付け、取外しが容易となる構造を有している。
【００３８】
また、図２に示すごとく、ストッパー部材５は、通路切替部材４における切替係合部４３と係合するストッパー係合部５３と、このストッパー係合部５３と切替係合部４３との係合状態を付勢する付勢手段５４とを有している。ストッパー係合部５３は、摺動本体部５１に対して立設形成されていると共に、その係合先端部５３１が屈曲形状を有している。そして、ストッパー係合部５３は、摺動本体部５１との間に、切替係合部４３を配置することができる係合凹部５３２を形成している。
【００３９】
また、付勢手段５４は、摺動本体部５１から立設形成された立設部５４１と、この立設部５４１から約１８０°に折り返された折返し部５４２とを有しており、立設部５４１と折返し部５４２との間における間隔を縮小させたときに付勢力を発生させることができる。また、付勢当接面２５に接触する折返し部５４２の接触部５４３を、付勢当接面２５に対して上下方向に若干移動可能とすることにより、付勢手段５４に生ずる抵抗を少なくし上記間隔の縮小をスムーズに行うことができる。
【００４０】
また、摺動本体部５１においては、ケース２の後述する挿入配置部２３の外部に配置される部分には、後述する連結部材７６に当接する受圧部５１１が形成されている。
また、摺動本体部５１、受圧部５１１、外れ防止部５２、ストッパー係合部５３及び付勢手段５４のいずれもは、同一の樹脂材料を用いて一体成形されており、ストッパー部材５は、１つの部品からなる。
【００４１】
図５に示すごとく、球払出ユニット１におけるケース２には、ストッパー部材５の摺動本体部５１を挿入配置するための挿入配置部２３が、ストッパー部材５のスライド方向Ｄ１における一端面２０１から他端面２０２に向けて貫通形成されている。本例の挿入配置部２３は、ケース２の一端面２０１から他端面２０２に向けて貫通形成され貫通口２３である。
【００４２】
そして、図２、図１０に示すごとく、挿入配置部２３は、上記ストッパー部材５の摺動本体部５１を、上記一端面２０１及び他端面２０２のいずれの端面２０１、２０２からでも挿入配置することが可能になっている。すなわち、ストッパー部材５の摺動本体部５１を、ケース２におけるいずれの端面２０１、２０２から挿入配置部２３へ挿入配置したときでも、ケース２の掛止部２４は、ストッパー部材５の外れ防止部５２を掛止し、かつ通路切替部材４の切替係合部４３は、ストッパー部材５のストッパー係合部５３と係合するよう構成されている。
【００４３】
より具体的には、図５に示すごとく、ケース２においては、ストッパー部材５の付勢手段５４と当接する付勢当接面２５が、上記一端面２０１及び他端面２０２の両端面に形成されており、各付勢当接面２５から掛止部２４までの距離Ｘ１が略同一になっている。
また、通路切替部材４の切替係合部４３は、ストッパー部材５のスライド方向Ｄ１における両方向に向けて、ストッパー係合部５３と当接することができる係合突起４３１をそれぞれ突出形成してなる。そして、各付勢当接面２５から切替係合部４３の各係合突起４３１までの距離も略同一になっている。
【００４４】
そのため、ストッパー部材５をケース２におけるいずれの端面２０１、２０２から組み付けたときでも、このストッパー部材５のストッパー係合部５３と通路切替部材４の切替係合部４３におけるいずれかの係合突起４３１とを容易に係合させることができる。
また、本例のストッパー部材５及び通路切替部材４は、いずれも単品で左右対称に形成されている。
【００４５】
図３に示すごとく、本例のパチンコ遊技機６は、このパチンコ遊技機６における外枠６０（図８参照）と、この外枠６０の前面側に配設した本体枠６１（前枠）と、この本体枠６１の前面側に開閉可能に配設したガラス扉６２とを有している。本体枠６１は、遊技領域を形成する遊技盤（図示略）を配設してなり、ガラス扉６２は、プラスチック製の枠部の内側にガラス板を配設してなる。
【００４６】
また、図８に示すごとく、上記球皿６３は、本体枠６１の前面側に配設されており、球払出ユニット１から払い出された遊技球８を貯留し、これを遊技盤の遊技領域に向けて発射させるための発射装置（図示略）へと供給することができるものである。
また、上記球タンク７１は、本体枠６１の裏面側の上部に配設されており、多数の遊技球８を貯留することができるものである。球タンク７１の下方には、この球タンク７１から流下した遊技球８を１球ずつ整列して流下させるためのタンクレール７２が接続されており、上記球払出ユニット１は、タンクレール７２の下方に接続されている。
【００４７】
また、図８に示すごとく、本体枠６１の裏面側には、球皿６３と球払出ユニット１における払出通路２１とを連通する球排出通路７３と、球払出ユニット１における球抜き通路２２に接続されて、遊技球８をパチンコ遊技機６の外部へ導くための球抜き接続路７４とが形成されている。
そして、球払出ユニット１をパチンコ遊技機６の本体枠６１に取り付けた状態においては、球払出ユニット１における球供給通路２０は、上記タンクレール７２の球出口部７２１に接続される。
【００４８】
また、図３に示すごとく、球払出ユニット１を本体枠６１に取り付けた状態において、ストッパー部材５は、本体枠６１における遊技盤の盤面の面方向に沿って略水平方向Ｄ１にスライドする向きに配置される。また、図１に示すごとく、払出通路２１と球抜き通路２２とは、パチンコ遊技機６の前後方向Ｄ２に並んで配置され、通路切替部材４は、ストッパー部材５のスライド方向Ｄ１に対して直交する方向における上下に向けて回動する。
【００４９】
こうして、払出通路２１と球抜き通路２２とをパチンコ遊技機６の前後方向Ｄ２に並べて配置したことにより、球払出ユニット１が本体枠６１の左右方向（横方向）Ｄ１において占める割合を小さくすることができる。また、本例では、払出通路２１が球抜き通路２２の後方に位置しており、球払出ユニット１を透明部材で構成することにより、パチンコ遊技機６の裏面側から払出通路２１内の遊技球８の流下状態を容易に視認することができる。
【００５０】
また、ストッパー部材５のスライド方向Ｄ１と、通路切替部材４の回動方向とが直交していることにより、通路切替部材４に作用する遊技球８の球圧がストッパー部材５をスライドさせる方向に直接働くことがなく、ストッパー部材５を、安定して回動阻止位置５０１と回動許可位置５０２とに維持することができる。
【００５１】
また、図３に示すごとく、ガラス扉６２には、球払出ユニット１におけるストッパー部材５に向けて開口する操作孔６１１が貫通形成されている。本例では、操作孔６１１の後方には、パチンコ遊技機６の前後方向にスライドして、ストッパー部材５と当接するよう構成された連結部材７６が配設されている。この連結部材７６は、差込棒によって押圧される押圧部７６１と、この押圧部７６１から立設形成した軸部７６２とを有している。そして、軸部７６２は、ストッパー部材５の受圧部５１１と当接する先端部が、環状テーパ面７６３を有している。一方、ストッパー部材５の受圧部５１１は、連結部材７６の環状テーパ面７６３と当接する部分が、テーパ面５１２を有している。
【００５２】
そして、管理者が、ガラス扉６２の操作孔６１１に差込棒を差し込み、この差込棒により連結部材７６の押圧部７６１を押圧したときには、連結部材７６の軸部７６２における環状テーパ面７６３が、ストッパー部材５の受圧部５１１におけるテーパ面５１２上を摺動する。これにより、ストッパー部材５が回動阻止位置５０１から回動許可位置５０２へとスライドすることができる。
【００５３】
また、ストッパー部材５は、管理者が、本体枠６１の裏面側から受圧部５１１を直接押圧することによっても、連結部材７６を介さずに、回動阻止位置５０１から回動許可位置５０２へとスライドさせることもできる。
なお、ガラス扉６２に操作孔６１１を設けず、ガラス扉６２を開けたときに本体枠６１に設けた連結部材７６を露出させ、この連結部材７６を差込棒を用いずに直接操作するようにしてもよい。
【００５４】
また、図１、図１１、図１２に示すごとく、上記払出機構３は、払出通路２１内における遊技球８を１球ずつ払い出して流下させるための整流板３１と、この整流板３１を所定の回転数で回転させるための払出モータ３２と、整流板３１から払い出した遊技球８の数をカウントする払出検出スイッチ３３とを有している。
本例の整流板３１は、１つの遊技球８を配置することができる配置凹部３１１を、円周方向に等間隔に３つ、すなわち１２０°ピッチ間隔で有している。そして、整流板３１は、タンクレール７２から２条に分流された球供給通路２０にそれぞれ繋がる各払出通路２１にそれぞれ配置されており、各整流板３１は、各配置凹部３１１の形成間隔が６０°ずれるようにして配設されている。
【００５５】
また、払出モータ３２は、制御装置によって制御可能であり、制御装置から出力される出力パルス数に応じ、ステータに対してロータを所定角度ずつ回転させるステッピングモータにより構成されている。この払出モータ３２は、励磁（印加）を行う励磁相が、当該払出モータ３２における各励磁相のうち１つの特定励磁相にあるときに、整流板３１の回転が停止されるよう構成されている。
【００５６】
すなわち、例えば、Ａ相、Ｂ相、Ｃ相及びＤ相の４相の励磁相を有し、ロータ１回転当たり４８極の磁極を有するステッピングモータを払出モータ３２として使用する場合を仮定し、上記特定励磁相をＡ相とする。そして、払出モータ３２は１ステップ当たり７．５°回転することになり、Ａ相に励磁を行ってから再びＡ相に励磁を行うまでには、払出モータ３２は３０°回転する。
【００５７】
図１３〜図１６は、払出モータ３２における一方の整流板３１が３０°ずつ回転したときの状態を示す説明図である。図１３は、ロータの回転位置が０°であり、一方の整流板３１の凸部３１２に遊技球８が当接している状態を示す。図１４は、ロータが３０°回転した状態を示す。図１５は、ロータが６０°回転し、一方の整流板３１の配置凹部３１１に遊技球８が配置された状態を示す。そして、図１６は、ロータが９０°回転し、一方の整流板３１の配置凹部３１１から払出通路２１へ遊技球８が払い出された状態を示す。
また、ロータが１２０°回転したときには、０°の状態と同様に、一方の整流板３１における次の凸部３１２に遊技球８が当接した状態が形成され、以降同様に、ロータが３０°、６０°、９０°回転したときと同様の状態が繰り返し形成される。
【００５８】
上記のごとく、本例では、整流板３１の配置凹部３１１は１２０°ピッチ間隔で形成されており、２つの整流板３１は、各配置凹部３１１の形成間隔が６０°ずれている。また、ロータの回転位置が０°、３０°、６０°及び９０°のいずれの位置にあるときも、励磁を行う励磁相は、特定励磁相であるＡ相となっている。また、ロータが３０°回転したときには、他方の整流板３１における配置凹部３１１から払出通路２１へ遊技球８を払い出すことができ、ロータが９０°回転したときには、一方の整流板３１における配置凹部３１１から払出通路２１へ遊技球８を払い出すことができる。
【００５９】
そのため、払出モータ３２は、励磁を行う励磁相が特定励磁相であるＡ相にあり、かつ、回転位置が、３０°、９０°、１５０°、２１０°、２７０°及び３３０°であるときにロータを停止させると、確実に遊技球８を払出通路２１へ払い出すことができる。そのため、払出モータ３２の回転制御が容易であると共に、遊技球８の払出を確実に行うことができる。
【００６０】
また、図１６に示すごとく、本例では、この払出モータ３２の回転制御を行うために、各配置凹部３１１同士の間に形成された凸部３１２の形状は、円周方向（回転方向）Ｄ３の前側と後側とで非対称に形成されている。すなわち、整流板３１が遊技球８を払出通路２１へ払い出す回転位置にあるときに、いずれかの凸部３１２の回転方向Ｄ３の前側端部３１３は、配置凹部３１１における遊技球８を払出通路２１へ払い出すことができる形状に形成されており、上記いずれかの凸部３１２の前方に位置する凸部３１２の回転方向Ｄ３の後側端部３１４は、払出通路２１内に位置しない形状に形成されている。
【００６１】
また、図１４に示すごとく、凸部３１２の外周端部３１５は、回転方向の後側端部３１４近傍に位置する部分が、各凸部３１２の外周端部３１５を通る仮想円Ｃ１よりも内側に位置している。これにより、整流板３１における配置凹部３１１への遊技球８の流下を滑らかにすることができる。
【００６２】
また、上記タンクレール７２は、遊技球８を流下させる流下レーン（図示略）を複数（本例では２つ）有している。
また、図１２に示すごとく、球払出ユニット１におけるケース２は、球供給通路２０及び払出通路２１をそれぞれ２つ有しており、各球供給通路２０は、タンクレール７２の各流下レーンにおける球出口部７２１に接続されている。また、２つ（２条）の払出通路２１は、払出機構３の下流側において１つ（１条）に収束されており、上記球排出通路７３は、収束された払出通路２１の下流側に接続されている。また、球抜き通路２２は、各払出通路２１にそれぞれ開口しており、通路切替部材４を球抜き位置４０２に回動させたときには、２つの払出通路２１と１つの球抜き通路２２とが連通される（図４参照）。
【００６３】
また、上記球払出通路２１は、払出検出スイッチ３３の上方で１条に収束され、遊技球８は払出検出スイッチ３３に対して略鉛直方向に流下される。これにより、払出通路２１内を流下する遊技球８が払出機構３における払出検出スイッチ３３に直接衝突してしまうことを防止し、この払出検出スイッチ３３を保護することができる。
【００６４】
また、図１１に示すごとく、払出モータ３２は、ケース２に対して着脱可能なモータ用カバー３４内に収納される。すなわち、モータ用カバー３４とケース２とは、一方が弾性変形可能な弾性変形爪２６１を有しており、他方が弾性変形爪２６１を掛止する掛止片部３４１を有している。そして、弾性変形爪２６１を弾性変形させることにより、モータ用カバー３４を開放させて、ケース２に対する払出モータ３２の着脱を容易に行うことができる。
また、図１２に示すごとく、本例の払出検出スイッチ３３は、ケース２のスイッチ配置部２６２に挿入配置した後、モータ用カバー３４に形成された抜け防止部３４２によってスイッチ配置部２６２から抜け出すことが防止される。
【００６５】
また、図１７、図１８に示すごとく、タンクレール７２の球出口部７２１には、このタンクレール７２内に遊技球８が存在する状態で、球払出ユニット１をパチンコ遊技機６から取り外したときに、タンクレール７２から遊技球８がこぼれ出してしまうことを防止するシャッター部材７７が配設されている。このシャッター部材７７は、本体枠６１に固定して弾性変形可能なシャッター本体部７７１と、このシャッター本体部７７１から屈曲形成され、タンクレール７２の球出口部７２１の開閉を行うシャッター開閉部７７２とを有している。
【００６６】
そして、図１７に示すごとく、球払出ユニット１を本体枠６１に取り付けた際には、球払出ユニット１におけるケース２の一部が、シャッター本体部７７１を弾性変形させることによって、シャッター開閉部７７２がタンクレール７２の球出口部７２１を開口することができる。
一方、図１８に示すごとく、球払出ユニット１を本体枠６１から取り外した際には、シャッター本体部７７１の弾性変形が復帰することによって、シャッター開閉部７７２がタンクレール７２の球出口部７２１を閉口することができる。
【００６７】
また、図１９に示すごとく、通路切替部材４には、これが払出位置４０１にある（球抜き通路２２の球抜き開口部２２１が閉じている）か、又は球抜き位置４０２にある（球抜き通路２２の球抜き開口部２２１が開いている）かを表示する位置表示部４４を形成することができる。一方、ケース２には、通路切替部材４が払出位置４０１にあるときの位置表示部４４の位置に対応する位置に「閉」なる文字を付しておき、通路切替部材４が球抜き位置４０２にあるときの位置表示部４４の位置に対応する位置に「開」なる文字を付しておくことができる。
【００６８】
次に、上述した球払出ユニット１を動作させる方法につき詳説する。
図１、図２に示すごとく、遊技者がパチンコ遊技を行う際には、上記ストッパー部材５は、付勢手段５４によって回動阻止位置５０１に付勢されており、上記通路切替部材４は払出位置４０１に維持されている。
この状態において、ストッパー部材５のストッパー係合部５３における係合先端部５３１は、通路切替部材４の切替係合部４３における一方の係合突起４３１と当接している。そして、通路切替部材４は、ストッパー部材５によって球抜き位置４０２に回動してしまうことが阻止されている。そして、当該通路切替部材４の流下案内部４１が上記払出通路２１の一部を形成しており、球抜き通路２２の球抜き開口部２２１が通路切替部材４の流下案内部４１によって閉じられている。
【００６９】
また、上記球タンク７１内には、遊技球８が貯留されていると共に、この球タンク７１から遊技球８がタンクレール７２内及び球供給通路２０内まで流下して充填されている。
そして、遊技者がパチンコ遊技を行い、遊技領域に配置された役物等に遊技球８が入賞すると、払出機構３が作動し、賞球としての遊技球８の払い出しが行われる。すなわち、払出機構３は、球タンク７１からタンクレール７２、払出通路２１を介して、払出数をカウントしながら上記球皿６３へと１球ずつ遊技球８を払い出すことができる。
【００７０】
この遊技球８の払出のとき、通路切替部材４の流下案内部４１に遊技球８による球圧が加わっても、通路切替部材４の切替係合部４３における係合突起４３１が、ストッパー部材５のストッパー係合部５３と当接することによって、通路切替部材４の回動が阻止されており、通路切替部材４は払出位置４０１に維持されている。
【００７１】
そして、図６に示すごとく、パチンコ遊技機６の管理者が、メンテナンス等を行うときに、球タンク７１内及びタンクレール７２内の遊技球８をパチンコ遊技機１の外部に抜き出す必要が生じたときには、ストッパー部材５を、付勢手段５４の付勢力に抗して、回動阻止位置５０１から回動許可位置５０２にスライドさせる。
このとき、図４に示すごとく、通路切替部材４の流下案内部４１には、球供給通路２０内に存在する遊技球８の自重による球圧を受けるため、通路切替部材４は、払出位置４０１から球抜き位置４０２へと回動する。そして、この回動が行われると同時に、球抜き通路２２の球抜き開口部２２１が開口され、通路切替部材４の流下案内部４１が球抜き通路２２の一部を形成する。
【００７２】
その後、図７に示すごとく、管理者がストッパー部材５から手を放したときには、ストッパー部材５は、付勢手段５４の付勢力によって回動許可位置５０２から回動阻止位置５０１へとスライドする。そして、通路切替部材４の切替係合部４３における係合突起４３１が、ストッパー部材５のストッパー係合部５３における係合凹部５３２内に収納されることによって、通路切替部材４が払出位置４０１に回動してしまうことが阻止され、通路切替部材４は球抜き位置４０２に維持される。
こうして、球タンク７１内及びタンクレール７２内の遊技球８を、球抜き通路２２及び球抜き接続路７４を介してパチンコ遊技機１の外部へと抜き出すことができる。
【００７３】
次に、上記球払出ユニット１による作用効果につき詳説する。
本例の球払出ユニット１は、払出通路２１と球抜き通路２２とを、本体枠６１とは別部材であるケース２にも形成してなるものであり、このケース２に払出機構３、通路切替部材４及びストッパー部材５を一体的に配設して、遊技球８の払出及び抜出を行う機構を構成するものである。
そのため、パチンコ遊技機１に対する払出及び抜出を行う機構の配設位置等に変更が生じたときでも、球払出ユニット１の配設位置等を変更するだけでよく、球払出ユニット１の構成を変えることなく対応することができる。
【００７４】
特に、本例においては、上記のごとく、通路切替部材４及びストッパー部材５を左右対称に構成し、ケース２を、そのいずれの端面２０１、２０２からでもストッパー部材５を組み付けることができるよう構成し、通路切替部材４を、ケース２におけるいずれの端面２０１、２０２から組み付けたストッパー部材５に対しても係合することができるよう構成した。
そのため、球払出ユニット１においては、ケース２に対する払出機構３及び通路切替部材４の組付状態は変更することなく、ケース２に対するストッパー部材５の組付方向を変更することができる。
【００７５】
そして、図８に示すごとく、球排出通路７３をパチンコ遊技機６の裏面側から見て左側に形成した場合（正面から見て右側に形成した場合）には、ストッパー部材５は、ケース２の一端面２０１から組み付けて使用することができる。
一方、図９に示すごとく、球排出通路７３をパチンコ遊技機６の裏面側から見て右側に形成した場合（正面から見て左側に形成した場合）には、ストッパー部材５は、ケース２の他端面２０２から組み付けて使用することができる。
なお、図８、図９は、パチンコ遊技機６を裏面側から見た状態で示す説明図である。
【００７６】
これにより、上記球払出ユニット１は、左右いずれの側に球排出通路７３を形成したパチンコ遊技機１に対しても、ケース２、払出機構３、通路切替部材４及びストッパー部材５等の各部品の設計変更を行うことなく、ストッパー部材５の組付方向を変更するだけで容易に対応することができる。
【００７７】
また、上記ストッパー部材５は、スライドすることによって上記回動阻止位置５０１と上記回動許可位置５０２とに移動することができる。そのため、ストッパー部材５は直線的に移動することになり、ストッパー部材５及びこれを配設するケース２の動作形態の設計が容易である。また、ストッパー部材５の摺動本体部５１を挿入配置するケース２の挿入配置部２３は、１つだけ貫通口２３として形成しておくことにより、極めて簡単に形成することができ、ストッパー部材５をケース２の左右いずれの側からも挿入配置することが容易である。
それ故、本例の球払出ユニット１によれば、異なる機構のパチンコ遊技機１を構成する場合にも、設計変更をほとんど行うことなく対応することができる。
【００７８】
また、払出機構３、通路切替部材４及びストッパー部材５等は、パチンコ遊技機６の本体枠６１から離れた状態のケース２に対して組み付けることができ、この組付が容易である。そして、本体枠６１に対しては、完成後の球払出ユニット１を取り付けることによって、払出機構３、通路切替部材４及びストッパー部材５を容易に配設することができる。また、払出機構３、通路切替部材４又はストッパー部材５等のメンテナンス又は部品交換等を行うときには、これらを配設したケース２を本体枠６１から取り外した状態で行うことができ、このメンテナンス等が容易である。
【００７９】
（実施例２）
本例においては、上記球払出ユニット１の細部の構造について種々の工夫を行った例である。
具体的には、図２０に示すごとく、上記払出通路２１において、上記折曲通路部２１１よりも下流側に形成された下流通路部２１２に、遊技球８の球圧を分散させる工夫をしている。すなわち、下流通路部２１２を蛇行して形成することにより、下方向（重力方向）への遊技球８の球圧の一部を水平方向への球圧に分散させることができる。また、本例の下流通路部２１２は、遊技球８の約１個分の間隔で蛇行させて形成している。
これにより、払出機構３の整流板３１に加わる負荷を小さくすることができる。
【００８０】
また、同図に示すごとく、上記球供給通路２０には、球供給通路２０及び払出通路２１内に所定数（例えば、２つの球供給通路２０及び払出通路２１を合わせて２５〜３０個）の遊技球８が充填されていることを検出する充填検出スイッチ２７を配設することができる。
また、図２１に示すごとく、本体枠６１又はケース２には、ストッパー部材５を上方及び側方から覆うストッパーカバー５５を配設することができる。これにより、万が一、球タンク７１又は球供給ノズル等から遊技球８が零れだしたときに、誤ってストッパー部材５をスライドさせてしまうことを防止することができる。
【００８１】
また、図２２〜図２４に示すごとく、タンクレール７２は、その２つの流下レーン７２０を直線状に形成し、各流下レーン７２０の下流側端部に形成された２つの球出口部７２１の配置は、パチンコ遊技機６の左右方向Ｄ１及び前後方向Ｄ２のそれぞれにずらして形成することができる。これにより、一方の流下レーン７２０の下流側端部を他方の流下レーン７２０の下流側端部に向けて、水平方向に折曲げ形成する必要がなく、各流下レーン７２０内の遊技球８を円滑に流下させることができる。
そして、図２０に示すごとく、２つの球供給通路２０の少なくとも一方を、球入口部２０５の下方付近において、パチンコ遊技機１の前後方向Ｄ２に向けて傾斜形成することにより、２つの球供給通路２０及び払出通路２１をパチンコ遊技機１の左右方向Ｄ１に並べて形成することができる。
【００８２】
また、図２５、図２６に示すごとく、本例の球払出ユニット１は、本体枠６１に対して下方からスライドさせて取り付けるよう構成されている。
すなわち、図２５、図２６に示すごとく、球払出ユニット１のケース２には、上方に向けて突出する突出嵌入部２８２が形成されており、本体枠６１の裏面側には、突出嵌入部２８２を嵌入するための嵌入凹部６１２が形成されている。また、本体枠６１の裏面側には、弾性変形可能で、ケース２の下方角部２８３を係止することができる弾性係止爪６１３が形成されている。
【００８３】
また、図２４に示すごとく、ケース２における球供給通路２０の球入口部２０５の周囲には、タンクレール７２の各球出口部７２１を挿入配置することができる挿入ガイド部２８１が形成されている。この挿入ガイド部２８１の形成により、タンクレール７２の球出口部７２１と、ケース２における球供給通路２０の球入口部２０５との間に隙間が形成されることを防止し、これらの位置合わせを容易に行うことができる。
【００８４】
また、図２７に示すごとく、本体枠６１の裏面側には、これに取り付けた球払出ユニット１が外れて落下してしまうことを防止するための落下防止部材６１４が配設されている。この落下防止部材６１４は、本体枠６１に対して水平方向に回動可能に配設されており、球払出ユニット１との干渉を避ける退避位置６１５と、球払出ユニット１の落下を防止する落下防止位置６１６とに移動可能である。
【００８５】
また、本例の落下防止部材６１４は、ケース２における払出通路２１の球出口部２１５の下方から球払出ユニット１を支持する。そのため、落下防止部材６１４には、球出口部２１５と対向して遊技球８を通過させることができる通過穴６１７が形成されている。
また、落下防止部材６１４には、弾性変形を行って、当該落下防止部材６１４を落下防止位置６１６に固定するための弾性突起６１８が形成されており、本体枠６１には、弾性突起６１８と係合する係合穴６１９が形成されている。
【００８６】
そして、図２５に示すごとく、球払出ユニット１を、本体枠６１に取り付ける際には、落下防止部材６１４を退避位置６１５に退避させる。そして、球払出ユニット１を本体枠６１の下方からスライドさせ、図２６に示すごとく、タンクレール７２の球出口部７２１をケース２の挿入ガイド部２８１内に挿入し、かつ、ケース２の突出嵌入部２８２を本体枠６１の嵌入凹部６１２内に嵌入させる。また、球払出ユニット１を本体枠６１に取り付けたときには、本体枠６１の弾性係止爪６１３が、ケース２の下方角部２８３を係止することができる。
【００８７】
その後、落下防止部材６１４を退避位置６１５から落下防止位置６１６に回動させたときには、本体枠６１に取り付けた球払出ユニット１が外れてしまうことを防止することができる。
本例においても、その他は上記実施例１と同様であり、上記実施例１と同様の作用効果を得ることができる。
【図面の簡単な説明】
【００８８】
【図１】実施例１における、通路切替部材が払出位置にあり、ストッパー部材が回動阻止位置にある球払出ユニットを、パチンコ遊技機の左右方向から見た状態で示す断面説明図。
【図２】実施例１における、ケースにおける一端面からストッパー部材を組み付け、かつ、通路切替部材が払出位置にあり、ストッパー部材が回動阻止位置にある状態の球払出ユニットを、パチンコ遊技機の前後方向から見た状態で示す断面説明図。
【図３】実施例１における、球払出ユニットをパチンコ遊技機の上方から見た状態で示す断面説明図。
【図４】実施例１における、通路切替部材が球抜き位置にあり、ストッパー部材が回動阻止位置にある球払出ユニットを、パチンコ遊技機の左右方向から見た状態で示す断面説明図。
【図５】実施例１における、ストッパー部材を組み付ける前の球払出ユニットを、パチンコ遊技機の前後方向から見た状態で示す断面説明図。
【図６】実施例１における、通路切替部材が球抜き位置にあり、ストッパー部材が回動許可位置にある状態の球払出ユニットを、パチンコ遊技機の前後方向から見た状態で示す断面説明図。
【図７】実施例１における、通路切替部材が球抜き位置にあり、ストッパー部材が回動阻止位置にある状態の球払出ユニットを、パチンコ遊技機の前後方向から見た状態で示す断面説明図。
【図８】実施例１における、球流下通路を左側に形成した場合のパチンコ遊技機を、その裏面側から見た状態で示す説明図。
【図９】実施例１における、球流下通路を右側に形成した場合のパチンコ遊技機を、その裏面側から見た状態で示す説明図。
【図１０】実施例１における、ケースにおける他端面からストッパー部材を組み付け、かつ、通路切替部材が払出位置にあり、ストッパー部材が回動阻止位置にある状態の球払出ユニットを、パチンコ遊技機の前後方向から見た状態で示す断面説明図。
【図１１】実施例１における、払出機構を、パチンコ遊技機の上方から見た状態で示す断面説明図。
【図１２】実施例１における、ケースにおける払出通路を、パチンコ遊技機の前後方向から見た状態で示す断面説明図。
【図１３】実施例１における、ロータの回転位置が０°である場合の払出機構を示す説明図。
【図１４】実施例１における、ロータの回転位置が３０°である場合の払出機構を示す説明図。
【図１５】実施例１における、ロータの回転位置が６０°である場合の払出機構を示す説明図。
【図１６】実施例１における、ロータの回転位置が９０°である場合の払出機構を示す説明図。
【図１７】実施例１における、タンクレールの球出口部に配設したシャッター部材がタンクレールの球出口部を開口している状態を示す説明図。
【図１８】実施例１における、タンクレールの球出口部に配設したシャッター部材がタンクレールの球出口部を閉口している状態を示す説明図。
【図１９】実施例１における、通路切替部材に位置表示部を形成し、ケースに「閉」及び「開」なる文字を付した球払出ユニットを示す説明図。
【図２０】実施例２における、球払出ユニットをパチンコ遊技機の左右方向から見た状態で示す断面説明図。
【図２１】実施例２における、球払出ユニットをパチンコ遊技機の前後方向から見た状態で示す断面説明図。
【図２２】実施例２における、パチンコ遊技機を上方から見た状態で示す断面説明図。
【図２３】実施例２における、タンクレールにおける球出口部及び球払出ユニットにおける挿入ガイド部を、パチンコ遊技機の上方から見た状態で示す断面説明図。
【図２４】実施例２における、タンクレールにおける球出口部及び球払出ユニットにおける挿入ガイド部を、パチンコ遊技機の後方から見た状態で示す断面説明図。
【図２５】実施例２における、本体枠に取り付ける状態の球払出ユニットを、パチンコ遊技機の左右方向から見た状態で示す断面説明図。
【図２６】実施例２における、本体枠に取り付けた状態の球払出ユニットを、パチンコ遊技機の左右方向から見た状態で示す断面説明図。
【図２７】実施例２における、本体枠における落下防止部材を、パチンコ遊技機の上方から見た状態で示す断面説明図。
【符号の説明】
【００８９】
１  球払出ユニット
２  ケース
２０１  一端面
２０２  他端面
２１  払出通路
２２  球抜き通路
２２１  球抜き開口部
２３  挿入配置部（貫通口）
２４  掛止部（掛止穴）
３  払出機構
３１  整流板
４  通路切替部材
４０１  払出位置
４０２  球抜き位置
４１  流下案内部
４２  回動支点部
４３  切替係合部
４３１  係合突起
５  ストッパー部材
５０１  回動阻止位置
５０２  回動許可位置
５１  摺動本体部
５２  外れ防止部（掛止爪）
５３  ストッパー係合部
５４  付勢手段
６  パチンコ遊技機
６１  本体枠
６３  球皿
７１  球タンク
７２  タンクレール
７３  球流下通路
８  遊技球
【図１】
2005253784.tif 000003
【図２】
2005253784.tif 000004
【図３】
2005253784.tif 000005
【図４】
2005253784.tif 000006
【図５】
2005253784.tif 000007
【図６】
2005253784.tif 000008
【図７】
2005253784.tif 000009
【図８】
2005253784.tif 000010
【図９】
2005253784.tif 000011
【図１０】
2005253784.tif 000012
【図１１】
2005253784.tif 000013
【図１２】
2005253784.tif 000014
【図１３】
2005253784.tif 000015
【図１４】
2005253784.tif 000016
【図１５】
2005253784.tif 000017
【図１６】
2005253784.tif 000018
【図１７】
2005253784.tif 000019
【図１８】
2005253784.tif 000020
【図１９】
2005253784.tif 000021
【図２０】
2005253784.tif 000022
【図２１】
2005253784.tif 000023
【図２２】
2005253784.tif 000024
【図２３】
2005253784.tif 000025
【図２４】
2005253784.tif 000026
【図２５】
2005253784.tif 000027
【図２６】
2005253784.tif 000028
【図２７】
2005253784.tif 000029